(57)【特許請求の範囲】
【請求項１】
可変容量ダイオードを設けた高周波複同調回路を備え、ＰＡＬ（Ｂ／Ｇ）方式およびＳＥＣＡＭ（Ｌ）方式の各テレビジョン放送を受信可能であって、前記高周波複同調回路の同調周波数をＰＡＬ（Ｂ／Ｇ）方式のテレビジョン放送に適応するように前記可変容量ダイオードに同調電圧を加え、ＶＨＦローバンドにあるＳＥＣＡＭ（Ｌ）方式のテレビジョン放送を受信するときに、前記可変容量ダイオードに同調電圧を加えたときよりもその容量を大きくする付加バイアス電圧を前記同調電圧とともに加え、前記高周波複同調回路の同調周波数を低くするようにしたことを特徴とするテレビジョンチューナ。
【請求項２】
前記付加バイアス電圧は、バンドデコーダを備えた選局用ＩＣから出力されたバンド切換電圧を抵抗回路で分圧して得た分圧電圧であり、前記可変容量ダイオードのカソードに前記同調電圧を加え、前記可変容量ダイオードのアノードに前記付加バイアス電圧を加えることを特徴とする請求項１に記載のテレビジョンチューナ。
【発明の詳細な説明】
【０００１】
【発明の属する技術分野】
本発明は、ＰＡＬ（Ｂ／Ｇ）方式およびＳＥＣＡＭ（Ｌ）方式の各テレビジョン放送（以下ＴＶ放送と略記する）を共に受信できる共用のテレビジョンチューナに係わり、特に、各方式間並びに放送周波数帯域間で中間周波数が異なることにより生じる受信性能の劣化を防止できるテレビジョンチューナに関する。
【０００２】
【従来の技術】
欧州で採用されているＴＶ放送方式には、ドイツ国等で採用されているＰＡＬ（Ｂ／Ｇ）方式と、フランス国等で採用されているＳＥＣＡＭ（Ｌ）方式とがあり、これら２方式のＴＶ放送を受信できる共用テレビジョンチューナが既に開発されている。
【０００３】
図２は、前記既知の共用テレビジョンチューナの構成の一例を示す一部回路図を含んだブロック図である。
【０００４】
図２にあるように、既知のテレビジョンチューナは、入力端子６１と、アンテナ（ＡＮＴ）同調回路６２と、高周波増幅回路（ＲＦＡＭＰ）６３と、高周波複同調回路６４と、混合回路（ＭＩＸ）６５と、局部発振回路（ＯＳＣ）６６と、選局用ＩＣ６９と、出力端子７０とを備えている。
【０００５】
高周波複同調回路６４は、入力端が高周波増幅回路６３の出力端に接続され、出力端が混合回路６５の第１入力端に接続されており、可変容量ダイオード６４１  、６４２  と、インダクタ６４３  乃至６４７  と、キャパシタ６４８  乃至６４１２と、スイッチングダイオード６４１３、６４１４と、抵抗６４１５、６４１６とからなっている。また、局部発振回路６６は出力端が混合回路６５の第２入力端に接続されている。
【０００６】
ＩＣ６９は、ＰＬＬ回路の他にバンドデコーダを備えており、同調電圧端子ＴＵと、バンド切換端子ＢＳ２、ＢＳ３とを有し、これら各端子は、それぞれ高周波複同調回路６４および局部発振回路６６に接続されている。なお、同調電圧端子ＴＵは同調電圧を発生し、バンド切換端子ＢＳ２はＶＨＦハイバンドのＴＶ放送を選択したとき正電圧を発生し、バンド切換端子ＢＳ３はＶＨＦローバンドのＴＶ放送を選択したとき正電圧を発生する。
【０００７】
前記構成による既知の共用テレビジョンチューナは、次のように動作する。
【０００８】
入力端子６１に加えられた受信信号は、アンテナ同調回路６２において所望チャネルの受信信号が選択され、高周波増幅回路６３において増幅される。増幅された受信信号は、高周波複同調回路６４において所望チャネルの受信信号がさらに選択され、混合回路６５において、局部発振回路６６から供給された局部発振信号と混合されて中間周波信号に変換される。中間周波信号は出力端子７０から出力される。
【０００９】
そこで、ＶＨＦローバンドにあるＴＶ放送を選択したとき、ＩＣ６９のバンド切換端子ＢＳ３から正電圧が出力され、この正電圧によって、高周波複同調回路６４は、スイッチングダイオード６４１３、６４１４がそれぞれオフになり、可変容量ダイオード６４１  、６４２  、インダクタ６４３  、６４４  、キャパシタ６４８  、６４９  に、インダクタ６４５  乃至６４７  、キャパシタ６４１０が挿入接続された形になる。
【００１０】
一方、ＶＨＦハイバンドにあるＴＶ放送を選択したとき、ＩＣ６９のバンド切換端子ＢＳ２から正電圧が出力され、この正電圧によって、高周波複同調回路６４は、スイッチングダイオード６４１３、６４１４がそれぞれオンになり、インダクタ６４５  乃至６４７  、キャパシタ６４１０からなる回路部分が短絡され、可変容量ダイオード６４１  、６４２  、インダクタ６４３  、６４４  、キャパシタ６４８  、６４９  だけが接続された形になる。
【００１１】
そして、いずれのバンドにあるＴＶ放送を選択したときも、ＩＣ６９の同調電圧端子ＴＵから同調電圧が出力され、高周波複同調回路６４は、同調電圧が抵抗６４１５とインダクタ６４３  を介して可変容量ダイオード６４１  に加えられるとともに、抵抗６４１６とインダクタ６４４  を介して可変容量ダイオード６４２  に加えられるので、可変容量ダイオード６４１  、６４２  の各容量が調整され、選択されたＴＶ放送に同調される。
【００１２】
また、局部発振回路６６は、高周波複同調回路６４と同様に、ＩＣ６９のバンド切換端子ＢＳ３またはＢＳ２から出力された正電圧と、同調電圧端子ＴＵから出力された同調電圧とが加えられ、選択されたＴＶ放送の周波数に対して一定の差だけ高い周波数の局部発振信号を出力する。
【００１３】
ところで、ＶＨＦローバンドにあるＳＥＣＡＭ（Ｌ）方式のＴＶ放送では、ＰＡＬ（Ｂ／Ｇ）方式のＴＶ放送に比べて、映像搬送波と音声搬送波の周波数が高低逆に配列されており、また、１チャネル当たりの周波数帯域幅が１ＭＨｚ広くなっている。
【００１４】
このため、既知の共用テレビジョンチューナでは、映像中間周波数および音声中間周波数は、ＰＡＬ（Ｂ／Ｇ）方式のＴＶ放送を選択するときは、それぞれ標準の３８．９ＭＨｚおよび３３．４ＭＨｚに設定されているのに対して、ＶＨＦローバンドにあるＳＥＣＡＭ（Ｌ）方式のＴＶ放送を選択するときは、上記の相違および表面弾性波素子で形成された中間周波フイルタ（図示なし）の特性を考慮して、それぞれ３３．９ＭＨｚおよび４０．４ＭＨｚに設定されている。
【００１５】
図３は、既知の共用テレビジョンチューナの、ＶＨＦローバンドにあるＴＶ放送を選択するときの、高周波複同調回路６４の同調特性であり、図中ＰＰＡＬ  、ＳＰＡＬ  がそれぞれＰＡＬ（Ｂ／Ｇ）方式ＴＶ放送の映像搬送波および音声搬送波であり、ＰＳＥＣ  、ＳＳＥＣ  がそれぞれＳＥＣＡＭ（Ｌ）方式ＴＶ放送の映像搬送波および音声搬送波である。ただし図中の数値は各搬送波の周波数を便宜的に中間周波数に置換して表したものであり、各搬送波の周波数の大小関係は、図中の数値配列とは逆に、図３の左側において小さく、右側において大きい。
【００１６】
図３にあるように、高周波複同調回路６４の同調特性は、ＰＡＬ（Ｂ／Ｇ）方式のＴＶ放送に一致させて設定されており、ＶＨＦローバンドにあるＳＥＣＡＭ（Ｌ）方式のＴＶ放送に対しては、各搬送波に対して１ＭＨｚ高く、音声搬送波ＳＳＥＣ  が同調特性の帯域外にある。
【００１７】
【発明が解決しようとする課題】
上記のように、ＶＨＦローバンドにあるＳＥＣＡＭ（Ｌ）方式のＴＶ放送を選択するときには、音声搬送波ＳＳＥＣ  が高周波複同調回路６４の同調特性の帯域外にある。このため、高周波複同調回路６４において音声搬送波が減衰され、他のバンドにあるＴＶ放送を選択したときに比べて、再生された音声のレベルが低く、聞き苦しいという問題がある。この問題を解決する方法として、ＶＨＦローバンドにあるＳＥＣＡＭ（Ｌ）方式のＴＶ放送を選択するときに、ＩＣ６９から出力される同調電圧をやや低くして、高周波複同調回路６４の同調周波数を１ＭＨｚ低くする方法が考えられる。しかし、この方法は、同じ同調電圧で制御されている局部発振回路６６の発振周波数が低い方にずれてしまい、利用できない。
【００１８】
本発明は、このような問題点を解決するもので、その目的は、ＰＡＬ（Ｂ／Ｇ）方式およびＳＥＣＡＭ（Ｌ）方式のいずれのＴＶ放送を受信しても、共に良好な状態で音声を再生できるテレビジョンチューナを提供することにある。
【００１９】
【課題を解決するための手段】
前記目的を達成するために、本発明によるテレビジョンチューナは、高周波複同調回路の同調周波数をＰＡＬ（Ｂ／Ｇ）方式のＴＶ放送に適応させて設定し、ＶＨＦローバンドにあるＳＥＣＡＭ（Ｌ）方式のＴＶ放送を受信するときに、高周波複同調回路の同調周波数を低くする手段を備えている。
【００２０】
前記手段によれば、高周波複同調回路の同調周波数は、ＶＨＦローバンドにあるＳＥＣＡＭ（Ｌ）方式のＴＶ放送を受信するときには低くなって、ＶＨＦローバンドにあるＳＥＣＡＭ（Ｌ）方式のＴＶ放送に応じた同調周波数になり、その他のＴＶ放送を受信するときには高くなって、ＰＡＬ（Ｂ／Ｇ）方式のＴＶ放送およびＶＨＦローバンド以外のバンドにあるＳＥＣＡＭ（Ｌ）方式のＴＶ放送に応じた同調周波数になる。したがって、いずれのＴＶ放送を受信するときにも、映像搬送波と音声搬送波に対する高周波複同調回路の選択度をほぼ等しくすることができる。
【００２１】
【発明の実施の形態】
本発明の実施の形態において、高周波複同調回路の同調周波数を低くする手段は、高周波複同調回路に可変容量ダイオードを設け、その可変容量ダイオードに付加バイアス電圧を同調電圧とともに加えることによって、可変容量ダイオードの容量を、同調電圧のみを加えたときよりも大きくするものである。
【００２２】
本発明の実施の形態の好適例において、付加バイアス電圧は、バンドデコーダを備えた選局用ＩＣから出力されたバンド切換電圧を抵抗回路で分圧して得た分圧電圧であり、可変容量ダイオードのカソードに同調電圧を加え、アノードに付加バイアス電圧を加える。
【００２３】
【実施例】
以下、本発明の実施例を図面を参照して説明する。
【００２４】
図１は、本発明によるテレビジョンチューナの一実施例の構成を示す一部回路図を含んだブロック図である。
【００２５】
図１にあるように、本実施例のテレビジョンチューナは、入力端子１と、アンテナ（ＡＮＴ）同調回路２と、高周波増幅回路（ＲＦＡＭＰ）３と、高周波複同調回路４と、混合回路（ＭＩＸ）５と、局部発振回路（ＯＳＣ）６と、選局用ＩＣ９と、出力端子１０とを備えている。
【００２６】
高周波複同調回路４は、入力端が高周波増幅回路３の出力端に接続され、出力端が混合回路５の第１入力端に接続されており、可変容量ダイオード４１  、４２  と、インダクタ４３  乃至４７  と、キャパシタ４８  乃至４１２と、スイッチングダイオード４１３、４１４と、抵抗４１５、４１６と、２つの抵抗分圧回路４’、４”とからなっている。そして、可変容量ダイオード４１  は、カソードがインダクタ４３  の一端に接続されるとともに、キャパシタ４１１を介して入力端に接続され、アノードが一方の抵抗分圧回路４’に接続されている。可変容量ダイオード４２  は、カソードがインダクタ４４  の一端に接続されるとともに、キャパシタ４１２を介して出力端に接続され、アノードが他方の抵抗分圧回路４”に接続されている。インダクタ４３ 、４４  は互いに誘導結合されており、インダクタ４３  の他端は、キャパシタ４８  を介してインダクタ４５  の一端に接続されるとともに、抵抗４１５を介してＩＣ９の同調電圧端子ＴＵに接続され、インダクタ４４  の他端は、キャパシタ４９  を介してインダクタ４６  の一端に接続されるとともに、抵抗４１６を介してＩＣ９の同調電圧端子ＴＵに接続されている。インダクタ４５  、４６  は互いに誘導結合されており、インダクタ４５  は、一端がＩＣ９のバンド切換端子ＢＳ３に接続されるとともに、スイッチングダイオード４１３を介してバンド切換端子ＢＳ２に接続され、他端がインダクタ４６  の他端とインダクタ４７  の一端とに接続されている。インダクタ４６  は、一端がＩＣ９のバンド切換端子ＢＳ３に接続されるとともに、スイッチングダイオード４１４を介してバンド切換端子ＢＳ２に接続されている。インダクタ４７  は、他端がキャパシタ４１０を介して接地点に接続されている。
【００２７】
抵抗分圧回路４’は、抵抗４１７、４１８と、バイパスキャパシタ４１９とからなる。そして、抵抗４１７は、一端がＩＣ９のバンド切換端子ＢＳ４に接続され、他端が可変容量ダイオード４１  のアノードと抵抗４１８の一端とバイパスキャパシタ４１９の一端にそれぞれ接続され、抵抗４１８の他端およびバイパスキャパシタ４１９の他端は、それぞれ接地点に接続されている。また、抵抗分圧回路４”は、抵抗４２０、４２１と、バイパスキャパシタ４２２とからなる。そして、抵抗４２０は、一端がＩＣ９のバンド切換端子ＢＳ４に接続され、他端が可変容量ダイオード４２  のアノードと抵抗４２１の一端とバイパスキャパシタ４２２の一端にそれぞれ接続され、抵抗４２１の他端およびバイパスキャパシタ４２２の他端は、それぞれ接地点に接続されている。また、局部発振回路６は、出力端が混合回路５の第２入力端に接続されている。
【００２８】
ＩＣ９は、一例としてフイリップス社製のＴＳＡ５５２０であり、ＰＬＬ回路の他にバンドデコーダを備えており、同調電圧端子ＴＵと、バンド切換端子ＢＳ２、ＢＳ３、ＢＳ４とを有し、この中、バンド切換端子ＢＳ４を除く各端子が高周波複同調回路４および局部発振回路６に接続され、バンド切換端子ＢＳ４が高周波複同調回路４に接続されている。なお、同調電圧端子ＴＵは同調電圧を発生し、バンド切換端子ＢＳ２はＶＨＦハイバンドのＴＶ放送を選択したとき正電圧を発生し、バンド切換端子ＢＳ３はＶＨＦローバンドのＴＶ放送を選択したとき正電圧を発生し、バンド切換端子ＢＳ４はＶＨＦローバンドにあるＳＥＣＡＭ（Ｌ）方式のＴＶ放送を選択したとき正電圧を発生する。
【００２９】
前記構成による本実施例のテレビジョンチューナは、次のように動作する。
【００３０】
入力端子１に加えられた受信信号は、アンテナ同調回路２において所望チャネルの受信信号が選択され、高周波増幅回路３において増幅される。増幅された受信信号は、高周波複同調回路４において所望チャネルの受信信号がさらに選択され、混合回路５において、局部発振回路６から供給された局部発振信号と混合されて中間周波信号に変換される。中間周波信号は出力端子１０から出力される。
【００３１】
そこで、ＶＨＦローバンドにあるＴＶ放送を選択したとき、ＩＣ９のバンド切換端子ＢＳ３から正電圧が出力され、この正電圧によって、高周波複同調回路４は、スイッチングダイオード４１３、４１４がそれぞれオフになり、可変容量ダイオード４１  、４２  、インダクタ４３  、４４  、キャパシタ４８  、４９  に、インダクタ４５  乃至４７  、キャパシタ４１０が挿入接続された形になる。
【００３２】
一方、ＶＨＦハイバンドにあるＴＶ放送を選択したとき、ＩＣ９のバンド切換端子ＢＳ２から正電圧が出力され、この正電圧によって、高周波複同調回路４は、スイッチングダイオード４１３、４１４がそれぞれオンになり、インダクタ４５  乃至４７  、キャパシタ４１０からなる回路部分が短絡され、可変容量ダイオード４１  、４２  、インダクタ４３  、４４  、キャパシタ４８  、４９  だけが接続された形になる。
【００３３】
そして、いずれのバンドにあるＴＶ放送を選択したときも、ＩＣ９の同調電圧端子ＴＵから同調電圧が出力され、高周波複同調回路４は、同調電圧が抵抗４１５とインダクタ４３  を介して可変容量ダイオード４１  に加えられるとともに、抵抗４１６とインダクタ４４  を介して可変容量ダイオード４２  に加えられるので、可変容量ダイオード４１  、４２  の各容量が調整され、選択されたＴＶ放送に同調される。
【００３４】
また、局部発振回路６は、高周波複同調回路４と同様に、ＩＣ９のバンド切換端子ＢＳ３またはＢＳ２から出力された正電圧と、同調電圧端子ＴＵから出力された同調電圧とが加えられ、選択されたＴＶ放送の周波数に対して一定の差だけ高い周波数の局部発振信号を出力する。
【００３５】
さらに、本実施例のテレビジョンチューナでは、高周波複同調回路４の同調周波数を、ＰＡＬ（Ｂ／Ｇ）方式のＴＶ放送に適応させて設定してあり、ＶＨＦローバンドにあるＳＥＣＡＭ（Ｌ）方式のＴＶ放送を選択したときに、その同調周波数を低域周波数側に移動させるようにしている。
【００３６】
即ち、本実施例のテレビジョンチューナは、ＶＨＦローバンドにあるＳＥＣＡＭ（Ｌ）方式のＴＶ放送を選択したときに、正電圧がＩＣ９のバンド切換端子ＢＳ４から出力され、高周波複同調回路４に加えられる。
【００３７】
この正電圧は、高周波複同調回路４において、抵抗４１７、４１８および４２０、４２１で分圧されて付加バイアス電圧として可変容量ダイオード４１  、４２  のアノードに加えられる。このとき、可変容量ダイオード４１  、４２  は、カソードにＩＣ９の同調電圧端子ＴＵから出力された同調電圧が加えられており、アノードとカソード間には、同調電圧と付加バイアス電圧との差電圧が加わり、それらの容量は同調電圧のみを加えたときよりも大きくなる。したがって、高周波複同調回路４の同調周波数は、付加バイアス電圧を加えないときに比べて低域周波数側に移動する。
【００３８】
一方、ＶＨＦローバンド以外のバンドにあるＳＥＣＡＭ（Ｌ）方式のＴＶ放送およびＰＡＬ（Ｂ／Ｇ）方式のＴＶ放送を選択したときは、ＩＣ９のバンド切換端子ＢＳ４から正電圧が出力されず、可変容量ダイオード４１  、４２  は、カソードに同調電圧だけが加えられ、その容量は付加バイアス電圧を加えたときよりも小さくなる。したがって、高周波複同調回路４の同調周波数は、付加バイアス電圧を加えたときに比べて高域周波数側に移動する。
【００３９】
図４は、本実施例のテレビジョンチューナにおいて、ＶＨＦローバンドにあるＴＶ放送を選択したときの高周波複同調回路４の同調特性であり、実線がＰＡＬ（Ｂ／Ｇ）方式のＴＶ放送を選択したときの特性であり、破線がＳＥＣＡＭ（Ｌ）方式のＴＶ放送を選択したときの特性である。図中ＰＰＡＬ  、ＳＰＡＬ  がそれぞれＰＡＬ（Ｂ／Ｇ）方式ＴＶ放送の映像搬送波および音声搬送波であり、ＰＳＥＣ  、ＳＳＥＣ  がそれぞれＳＥＣＡＭ（Ｌ）方式ＴＶ放送の映像搬送波および音声搬送波である。ただし図中の数値は各搬送波の周波数を便宜的に中間周波数に置換して表したものであり、各搬送波の周波数の大小関係は、図中の数値配列とは逆に、図の左側において小さく、右側において大きい。
【００４０】
図４にあるように、高周波複同調回路４の同調特性は、図３に示した既知のテレビジョンチューナにおける高周波複同調回路６４の同調特性に比べて、ＰＡＬ（Ｂ／Ｇ）方式のＴＶ放送を選択したときは変わらず、ＳＥＣＡＭ（Ｌ）方式のＴＶ放送を選択したときは、低域周波数側に移動しており、いずれの方式のＴＶ放送を選択したときも、応答範囲が映像搬送波および音声搬送波の分布範囲にほぼ一致し、両搬送波に対する応答レベルがほぼ等しい。
【００４１】
なお、前記実施例において、付加バイアス電圧を、高周波複同調回路４の２個の可変容量ダイオード４１  、４２  の双方に加えた例を挙げて説明したが、本発明における付加バイアス電圧は、双方の可変容量ダイオードに加える必要はなく、高周波複同調回路４の同調周波数の移動が少なくてもよいときは、一方の可変容量ダイオードに加えるだけでよい。
【００４２】
また、前記実施例において、同調電圧を各可変容量ダイオード４１  、４２  のカソードに加え、付加バイアス電圧をアノードに加えた例を挙げて説明したが、本発明における同調電圧と付加バイアス電圧の供給形態はこの例に限られるものではなく、同調電圧と付加バイアス電圧の双方を重畳してカソードに加えてもよい。
【００４３】
さらに、前記実施例において、付加バイアス電圧として、ＩＣ９のバンド切換端子ＢＳ４から得られる正電圧を用いているが、本発明における付加バイアス電圧は、この正電圧に限られるものでなく、ＶＨＦローバンドにあるＳＥＣＡＭ（Ｌ）方式のＴＶ放送を選択したときにだけ得られる電圧であれば、他の電圧を用いてもよい。
【００４４】
【発明の効果】
以上の説明のように、実施例のテレビジョンチューナによれば、高周波複同調回路の同調周波数を、ＰＡＬ（Ｂ／Ｇ）方式のＴＶ放送に適応させて設定し、ＶＨＦローバンドにあるＳＥＣＡＭ（Ｌ）方式のＴＶ放送を選択したときに、高周波複同調回路の同調容量を大きくしている。すなわち、ＰＡＬ（Ｂ／Ｇ）方式のＴＶ放送に適応させて設定された高周波複同調回路の同調周波数が、ＶＨＦローバンドにあるＳＥＣＡＭ（Ｌ）方式のＴＶ放送を受信するときに、低域周波数側に移動し、ＶＨＦローバンドにあるＳＥＣＡＭ（Ｌ）方式のＴＶ放送に適応する。
【００４５】
したがって、この発明のテレビジョンチューナによれば、いずれの方式のＴＶ放送を選択しても、映像搬送波および音声搬送波に対する選択度がほぼ同じになり、映像および音声を良好な状態で再生することができるという効果が得られる。
【図面の簡単な説明】
【図１】本発明によるテレビジョンチューナの一実施例の構成を示す一部回路図を含んだブロック図である。
【図２】既知のテレビジョンチューナの構成を示す一部回路図を含んだブロック図である。
【図３】既知のテレビジョンチューナにおける高周波複同調回路の同調特性図である。
【図４】本発明によるテレビジョンチューナにおける高周波複同調回路の同調特性図である。
【符号の説明】
４  高周波複同調回路
４’、４”  抵抗分圧回路
４１、４２  可変容量ダイオード
９  選局用ＩＣ
ＢＳ４  バンド切換端子
ＴＵ  同調電圧端子
【図１】
0003581786.tif 000002
【図２】
0003581786.tif 000003
【図３】
0003581786.tif 000004
【図４】
0003581786.tif 000005